(57)【要約】【課題】操作性や生産性、コピーの品質の低下を招くことなく、消費電力を低減することが可能な画像形成装置及びその定着温度制御方法を提供する。【解決手段】待機状態で、タイマ１２の計測する所定時間が経過するまでにコントロールパネル１１又はＡＤＦ１３に対して操作が無い場合、定着器２０の設定温度を下げる。この後、コントロールパネル１１又はＡＤＦ１３への操作があった時、定着器２０の設定温度を上昇させる。このときの設定温度は、通常の待機状態における定着温度より高い。このように、定着器２０の設定温度を通常の待機状態での設定温度よりも高くして、定着器２０の熱量を一時的に大きくすることで、コピー時に熱量が転写紙に奪われにくくなり、また定着電力を大きくすることで定着設定温度に到達するまでの時間を短縮することができる。【選択図】  図１
2005037488.tif 000002
【特許請求の範囲】
【請求項１】
定着処理を行う定着器と、
操作内容を設定するためのコントロールパネルと、
時間の計測を行うタイマと、
前記定着器が第１の定着温度が設定された待機状態において、前記タイマが計測した時間が所定時間に到達するまでの間、前記コントロールパネルに対して操作が無かった場合、前記第１の定着温度より低い第２の定着温度に設定し、この後、前記コントロールパネルに対して操作が行われた場合、前記第１の定着温度より高い第３の定着温度に設定する制御部と、
を備えることを特徴とする画像形成装置。
【請求項２】
定着処理を行う定着器と、
操作内容を設定するためのコントロールパネルと、
原稿の給紙及び排紙を行う自動給排紙機構と、
原稿を載置するための原稿台と、
時間の計測を行うタイマと、
前記定着器が第１の定着温度が設定された待機状態において、前記タイマが計測した時間が所定時間に到達するまでの間、前記コントロールパネルに対する操作、前記自動給排紙機構に対する操作、前記原稿台に前記原稿台が載置される操作のいずれも無かった場合、前記第１の定着温度より低い第２の定着温度に設定し、この後、前記コントロールパネルに対する操作、前記自動給排紙機構に対する操作、前記原稿台に前記原稿台が載置される操作のいずれかが行われた場合、前記第１の定着温度より高い第３の定着温度に設定する制御部と、
を備えることを特徴とする画像形成装置。
【請求項３】
プレスローラを有し、定着処理を行う定着器と、
操作内容を設定するためのコントロールパネルと、
時間の計測を行うタイマと、
前記定着器が第１の定着温度に設定されている待機状態において、前記プレスローラが第１の所定温度以上であって、かつ、第１の所定時間が経過した時に前記プレスローラが前記第１の所定温度より低い第２の所定温度以上であった場合に、前記定着器を前記第１の定着温度より低い第２の定着温度に設定する制御部と、
を備えることを特徴とする画像形成装置。
【請求項４】
前記制御部は、前記コントロールパネルに対して操作があった場合に、前記定着器を前記第１の定着温度より高い第３の定着温度に設定することを特徴とする請求項３に記載の画像形成装置。
【請求項５】
前記制御部は、前記待機状態において、前記定着器への供給電力を第１の定着電力に設定し、前記定着器を前記第３の定着温度に設定する際に、前記第１の定着電力より高い第３の定着電力に設定することを特徴とする請求項１、２又は４のいずれかに記載の画像形成装置。
【請求項６】
前記制御部は、前記定着器を前記第３の定着温度に設定した後、前記タイマが計測した時間が第２の所定時間に到達するまでの間、前記コントロールパネルにおいてプリントキーをオンする操作がなかった場合、前記第１の定着温度及び前記第１の定着電力が設定された前記待機状態に戻すことを特徴とする請求項１、２、４又は５のいずれかに記載の画像形成装置。
【請求項７】
定着処理を行う定着器と、操作内容を設定するためのコントロールパネルとを有する画像形成装置における定着温度を制御する方法であって、
前記定着器が第１の定着温度に設定されている待機状態において、所定時間が経過するまでの間に、前記コントロールパネルに対して操作が無かった場合、前記第１の定着温度より低い第２の定着温度に設定する工程と、
この後、前記コントロールパネルに対して操作があった場合に、前記定着器を前記第１の定着温度より高い第３の定着温度に設定する工程と、
を備えることを特徴とする画像形成装置の定着温度制御方法。
【請求項８】
定着処理を行う定着器と、操作内容を設定するためのコントロールパネルと、原稿の給紙及び排紙を行う自動給排紙機構と、原稿を載置するための原稿台とを有する画像形成装置における定着温度を制御する方法であって、
前記定着器が第１の定着温度に設定されている待機状態において、所定時間が経過するまでの間に、前記コントロールパネルに対する操作、前記自動給排紙機構に対する操作、前記原稿台に前記原稿台が載置される操作のいずれも無かった場合、前記第１の定着温度より低い第２の定着温度に設定する工程と、
この後、前記コントロールパネルに対する操作、前記自動給排紙機構に対する操作、前記原稿台に前記原稿台が載置される操作のいずれかがあった場合に、前記定着器を前記第１の定着温度より高い第３の定着温度に設定する工程と、
を備えることを特徴とする画像形成装置の定着温度制御方法。
【請求項９】
プレスローラを有し、定着処理を行う定着器と、操作内容を設定するためのコントロールパネルとを有する画像形成装置における定着温度を制御する方法であって、
前記定着器が第１の定着温度に設定されている待機状態において、前記プレスローラが第１の所定温度以上であって、かつ、第１の所定時間が経過した時に前記プレスローラが前記第１の所定温度より低い第２の所定温度以上であった場合に、前記定着器を前記第１の定着温度より低い第２の定着温度に設定する工程と、
を備えることを特徴とする画像形成装置の定着温度制御方法。
【請求項１０】
この後、前記コントロールパネルに対して操作があった場合に、前記定着器を前記第１の定着温度より高い第３の定着温度に設定する工程をさらに備えることを特徴とする請求項９記載の画像形成装置の定着温度制御方法。
【請求項１１】
前記待機状態では、前記定着器への供給電力を第１の定着電力に設定しており、
前記定着器を前記第３の定着温度に設定する工程では、前記第１の定着電力より高い第３の定着電力に設定することを特徴とする請求項７、８又は１０のいずれかに記載の画像形成装置の定着温度制御方法。
【請求項１２】
前記定着器を前記第３の定着温度に設定する工程の後、第２の所定時間が経過するまでの間に、プリントキーを押し下げる操作がなかった場合には、前記定着器が前記第１の定着温度に設定された前記待機状態に戻す工程を更に備えることを特徴とする請求項７、８、１０又は１１のいずれかに記載の画像形成装置の定着温度制御方法。
【発明の詳細な説明】
【０００１】
【発明の属する技術分野】
本発明は、画像形成装置及びその定着温度制御方法に関する。
【０００２】
【従来の技術】
画像形成装置では、コピー時に長い復帰時間を要することなくプリント動作を開始することができるように、通常待機状態において、定着器がある一定の定着温度（例えば、２００℃）を保つように制御する。
【０００３】
後述する特許文献１に開示された従来の画像形成装置では、待機状態において、原稿給紙テ−ブルの開閉動作等により、操作者が装置に近づいたことを検知すると、定着器の温度を、待機状態のときの温度から定着処理に必要な温度まで立ち上げる。
【０００４】
また、後述する特許文献２に開示された画像形成装置では、原稿が原稿台上に載置され、さらに操作部の操作が開始された場合に、定着器の温度をスリープ状態又はプレヒート状態のときの温度から、定着に必要な温度まで立ち上げる。
【０００５】
後述する特許文献３に記載された画像形成装置では、Ａ３等の大きいサイズの用紙を用いて大量にコピーする場合、コピー開始前に定着器の待機温度を上昇させ、上昇後にコピーを開始するように制御する。
【０００６】
このような従来の画像形成装置では、いずれも待機中の定着器を一定温度に保つ必要があった。
【０００７】
しかしながら、常に待機時の定着温度が例えば２００℃を維持するように制御すると、装置を使用していない間、消費電力を浪費することになる。
【０００８】
このような消費電力の浪費を防止するため、ある一定時間ユーザが装置を使用しなかった場合、節電動作に移行し、定着器温度を１００℃前後まで下げることが行われていた。
【０００９】
しかし、ある一定期間、つまり待機状態から節電動作に移行するまでの期間は、通常の定着器温度（例えば２００℃）を保つように制御されるため、この間の消費電力を削減することはできなかった。
【００１０】
また、この期間における定着器温度を低くすると、ユーザがコピーを開始しようとした時に、１枚目のコピーに必要な時間（ファーストコピー時間）が長くなることがあった。
【００１１】
あるいは、連続でコピー動作を行う場合に、特に定着器の熱容量が小さいような場合、定着器の温度が低い状態で長い期間放置されていたため、プリント時に紙に熱が奪われて、定着器の熱量が減少し、定着器温度が下がることになる。この結果、コピー動作の最中に、再び待機動作に入ってコピー動作が中断したり、定着不良を起こす場合があった。
【００１２】
以下に、従来の画像形成装置を開示した文献名について記載する。
【００１３】
【特許文献１】
特開平０６−３２４５３１号公報
【特許文献２】
特開平０３−２７９９６６号公報
【特許文献３】
特開平１１−３２７３５６号公報
【００１４】
【発明が解決しようとする課題】
このように、従来の画像形成装置では、待機中における消費電力を低減しようとすると、実際にプリントが開始するために必要な定着温度まで上昇するのに時間がかかり、操作性や生産性、コピーの品質の低下を招くおそれがあった。
【００１５】
本発明は上記事情に鑑み、操作性や生産性、コピーの品質の低下を招くことなく、消費電力を低減することが可能な画像形成装置及びその定着温度制御方法を提供することを目的とする。
【００１６】
【課題を解決するための手段】
本発明の画像形成装置は、定着処理を行う定着器と、操作内容を設定するためのコントロールパネルと、時間の計測を行うタイマと、前記定着器が第１の定着温度が設定された待機状態において、前記タイマが計測した時間が所定時間に到達するまでの間、前記コントロールパネルに対して操作が無かった場合、前記第１の定着温度より低い第２の定着温度に設定し、この後、前記コントロールパネルに対して操作が行われた場合、前記第１の定着温度より高い第３の定着温度に設定する制御部とを備えることを特徴とする。
【００１７】
また本発明の画像形成装置は、前記定着器と、前記コントロールパネルと、原稿の給紙及び排紙を行う自動給排紙機構と、原稿を載置するための原稿台と、前記タイマと、前記定着器が第１の定着温度が設定された待機状態において、前記タイマが計測した時間が所定時間に到達するまでの間、前記コントロールパネルに対する操作、前記自動給排紙機構に対する操作、前記原稿台に前記原稿台が載置される操作のいずれも無かった場合、前記第１の定着温度より低い第２の定着温度に設定し、この後、前記コントロールパネルに対する操作、前記自動給排紙機構に対する操作、前記原稿台に前記原稿台が載置される操作のいずれかが行われた場合、前記第１の定着温度より高い第３の定着温度に設定する制御部とを備えることを特徴とする。
【００１８】
あるいは本発明の画像形成装置は、プレスローラを有し、定着処理を行う定着器と、前記コントロールパネルと、前記タイマと、前記定着器が第１の定着温度に設定されている待機状態において、前記プレスローラが第１の所定温度以上であって、かつ、第１の所定時間が経過した時に前記プレスローラが前記第１の所定温度より低い第２の所定温度以上であった場合に、前記定着器を前記第１の定着温度より低い第２の定着温度に設定する制御部とを備えることを特徴とする。
【００１９】
ここで前記制御部は、前記コントロールパネルに対して操作があった場合に、前記定着器を前記第１の定着温度より高い第３の定着温度に設定してもよい。
【００２０】
ここで前記制御部は、前記待機状態において、前記定着器への供給電力を第１の定着電力に設定し、前記定着器を前記第３の定着温度に設定する際に、前記第１の定着電力より高い第３の定着電力に設定してもよい。
【００２１】
また前記制御部は、前記定着器を前記第３の定着温度に設定した後、前記タイマが計測した時間が第２の所定時間に到達するまでの間、前記コントロールパネルにおいてプリントキーをオンする操作がなかった場合、前記第１の定着温度及び前記第１の定着電力が設定された前記待機状態に戻してもよい。
【００２２】
本発明の定着処理を行う定着器と、操作内容を設定するためのコントロールパネルとを有する画像形成装置における定着温度を制御する方法は、前記定着器が第１の定着温度に設定されている待機状態において、所定時間が経過するまでの間に、前記コントロールパネルに対して操作が無かった場合、前記第１の定着温度より低い第２の定着温度に設定する工程と、この後、前記コントロールパネルに対して操作があった場合に、前記定着器を前記第１の定着温度より高い第３の定着温度に設定する工程とを備えることを特徴とする。
【００２３】
また本発明における前記定着器と、前記コントロールパネルと、転写紙の給紙及び排紙を行う自動給排紙機構と、原稿を載置するための原稿台とを有する画像形成装置における定着温度を制御する方法は、前記定着器が第１の定着温度に設定されている待機状態において、所定時間が経過するまでの間に、前記コントロールパネルに対する操作、前記自動給排紙機構に対する操作、前記原稿台に前記原稿台が載置される操作のいずれも無かった場合、前記第１の定着温度より低い第２の定着温度に設定する工程と、この後、前記コントロールパネルに対する操作、前記自動給排紙機構に対する操作、前記原稿台に前記原稿台が載置される操作のいずれかがあった場合に、前記定着器を前記第１の定着温度より高い第３の定着温度に設定する工程とを備えることを特徴とする。
【００２４】
あるいは本発明によるプレスローラを有し定着処理を行う定着器と、前記コントロールパネルとを有する画像形成装置における定着温度を制御する方法は、前記定着器が第１の定着温度に設定されている待機状態において、前記プレスローラが第１の所定温度以上であって、かつ、第１の所定時間が経過した時に前記プレスローラが前記第１の所定温度より低い第２の所定温度以上であった場合に、前記定着器を前記第１の定着温度より低い第２の定着温度に設定する工程とを備えることを特徴とする。
【００２５】
この後、前記コントロールパネルに対して操作があった場合に、前記定着器を前記第１の定着温度より高い第３の定着温度に設定する工程をさらに備えてもよい。
【００２６】
【発明の実施の形態】
以下、本発明の実施の形態について図面を参照して説明する。
【００２７】
（１）第１の実施の形態
本発明の第１の実施の形態による画像形成装置及びその定着温度制御方法について述べる。
【００２８】
図１に、本実施の形態による画像形成装置の構成を示す。
【００２９】
この装置は、ＣＰＵ（Ｃｅｎｔｒａｌ  Ｐｒｏｃｅｓｓｉｎｇ  Ｕｎｉｔ）１０、コントロールパネル１１、タイマ１２、自動給排紙機構（以下、ＡＤＦという）１３、読み取り部１４、定着制御部１５、定着器２０を備え、さらに定着器２０は、温度センサ２１及び２２、ヒータ３１を内蔵するヒートローラ３０、プレスローラ４０を有する。
【００３０】
ＣＰＵ１０は、画像形成装置全体の動作を制御するものであり、コントロールパネル１１、タイマ１２、読み取り部１４及び定着制御部１５に接続されている。ここで、ＣＰＵ１０と定着制御部１５とで全ての動作を制御する制御部を構成する。
【００３１】
コントロールパネル１１は、ユーザが画像形成装置に対する操作を行うもので、コピー動作に関する各種設定や、プリントキーのオン等が行われる。
【００３２】
タイマ１２は、本実施の形態における制御動作に必要な時間の計測を行う。
【００３３】
ＡＤＦ１３は、自動的に原稿の給紙及び排紙を行う。原稿台５１は、原稿を載置するためのものである。
【００３４】
読み取り部１４は、ユーザがＡＤＦ１３に設定した原稿、あるいは原稿台５１に載置した原稿の画像を読み取るものであり、原稿の存在を検知した場合にＣＰＵ１０に対して通知する。
【００３５】
定着制御部１５は、定着器２０の定着温度及び供給する定着電力の設定等に関する制御を行うものである。
【００３６】
定着器２０において、温度センサ２１は、ヒータ３１により加熱されるヒートローラ３０の近傍に配置され、その温度を検知して定着制御部１５に通知する。
【００３７】
温度センサ２２は、プレスローラ４０の近傍に配置され、その温度を検知して定着制御部１５に通知する。
【００３８】
このような構成を備えた本実施の形態の画像形成装置における動作について、以下に説明する。
【００３９】
この画像形成装置では、待機状態において、タイマ１２が計測する所定時間が経過するまでの間に、コントロールパネル１１、ＡＤＦ１３あるいは原稿台５１に対するユーザの操作がいずれも無い場合には、少なくとも１段階、定着器２０の設定温度を下げる。この後、コントロールパネル１１、ＡＤＦ１３あるいは原稿台５１の少なくとも一つに対して何らかの操作が行われた時に、定着器２０の設定温度を上昇させる。
【００４０】
このときの設定温度は、通常の待機状態における定着温度より高い温度である。このように、定着器２０の設定温度を通常の待機状態における設定温度よりも高くして、定着器２０の熱量を一時的に大きくすることで、コピー時に熱量が転写紙に奪われにくくなるとともに、定着電力を大きくして定着処理に必要な温度に到達するまでの時間を短縮することができる。
【００４１】
これにより、定着器２０の蓄熱性が低い場合であっても、待機時の定着温度を下げた影響を受けにくくすることができ、実際にプリントが開始される前までに所望の定着温度にまで速く復帰させることができる。
【００４２】
図２のフローチャートに、本実施例による画像形成装置の定着温度制御の手順を示す。
【００４３】
先ず、ステップ１０として、定着制御部１５が、待機状態における定着器２０の定着温度を例えば２００℃に設定し、定着器２０に供給する定着電力を例えば７００Ｗに設定する。
【００４４】
ステップ１２として、待機状態に入ってからの経過時間をタイマ１２によって計測する。
【００４５】
ステップ１６において、所定時間Ｔ（例えば、６分間）が経過したか否かをＣＰＵ１０が判断し、ステップＳ１４において、この所定時間Ｔが経過するまでの間に、何らかのコピー動作に係わる操作（例えば、コントロールパネル１１への操作、ＡＤＦ１３への操作、原稿を原稿台セットする操作等）があったか否かを判断する。
【００４６】
いずれの操作もなかった場合、ステップＳ１７においてタイマ１２の計測をＣＰＵ１０がリセットした後、ステップＳ１８において定着制御部１５が定着温度を１９５℃に下げる。
【００４７】
また、所定時間Ｔが経過するまでの間に、装置に対してコピー動作に関わる何らかの操作があった場合は、ＣＰＵ１０が、ステップＳ１３においてタイマ１２をリセットし、その時点からステップＳ１２においてタイマ１２の計測を再開させる。
【００４８】
定着温度を１９５℃に下げた後、コピー動作に関わる何等かの操作があったか否かを、ステップＳ２０においてＣＰＵ１０が判断する。
【００４９】
コピー動作に関わる操作がなかった場合は、ステップＳ２０へ戻る。
【００５０】
何らかの操作があった場合、図３のステップＳ３０へ移行し、定着制御部１５が定着温度を２１０℃、設定電力を８００Ｗに設定し、定着器の蓄熱性を高める。
【００５１】
尚、本実施の形態では定着温度を２１０℃としているが、この温度に限らず、定着器の蓄熱性に応じて任意の値に設定することができる。蓄熱性が大きい定着器においては、例えば通常の２００℃としてもよい。
【００５２】
ステップＳ３０へ移行した後、実際にコピー動作（プリントキーのオン）を行ったかどうかを、ステップＳ３２においてＣＰＵ１０が判断する。
【００５３】
この場合、実際にはコピーをしなかった場合を考慮する。具体的には、ステップＳ３２、Ｓ３４、Ｓ４０に渡ってタイマ１２を動作させ、ステップＳ２０において操作を行ってから所定時間（例えば、４５秒間）経過する間にコピーが行なわれたかどうかを判断する。
【００５４】
４５秒間経過するまでの間、コピー動作が行われた場合は、ステップＳ３６へ移行してタイマ１２をリセットさせると共に、ステップＳ３８においてプリント制御を行う。
【００５５】
４５秒間経過するまでの間、コピー動作が行われなかった場合は、ステップＳ４２においてタイマ１２をリセットさせた後、ステップＳ１０へ戻り、定着設定温度、電力を通常の待機時の設定（２００℃、７００Ｗ）に戻す。
【００５６】
尚、この所定時間は、定着器の蓄熱性や特性により任意に最適な時間を選定することができる。
【００５７】
本実施の形態によれば、操作性や生産性、コピーの品質の低下を招くことなく、消費電力を低減することが可能である。
【００５８】
（２）第２の実施の形態
本発明の第２の実施の形態による画像形成装置及びその定着温度制御方法について述べる。上記第１の実施の形態では、時間の経過により定着制御を変更しているが、本実施の形態では、プレスローラの温度をモニタしておき、所定温度に到達した時に待機時の設定温度を下げることで、定着器の蓄熱性を確保しつつ、待機状態における電力を低減する点に特徴がある。
【００５９】
本実施の形態による画像形成装置の構成は、図１に示されたものと同等である。
【００６０】
本実施の形態では、プレスローラ４０の温度に基づいて定着温度及び定着電力の制御を行うものであり、その制御方法について図４、図５のフローチャートを用いて説明する。
【００６１】
先ず、図４のステップＳ１００において、定着制御部１５が、待機状態における定着器２０の定着温度を例えば２００℃に設定し、定着器２０に供給する定着電力を例えば７００Ｗに設定する。
【００６２】
ステップ１０２として、プレスローラ４０の温度Ｐｔを温度センサ２２が測定し、定着制御部１５を介してＣＰＵ１０へ通知する。
【００６３】
そして、この温度Ｐｔが１５０℃未満であれば、ステップＳ１００へ戻り、１５０℃以上である場合、ステップＳ１０４へ移行する。
【００６４】
ステップＳ１０４として、待機状態に入ってからの経過時間をタイマ１２によって計測する。
【００６５】
ステップ１０６において、所定時間Ｔ（例えば、１分間）が経過したか否かをＣＰＵ１０が判断し、経過した後、ステップＳ１０８へ移行してタイマ１２をリセットする。
【００６６】
ステップＳ１１０において、プレスローラ４０の温度Ｐｔと１４０℃とを比較し、温度Ｐｔが１４０℃未満のときはステップＳ１００へ戻る。温度Ｐｔが１４０℃以上の場合、ステップＳ１１２へ移行する。
【００６７】
ステップＳ１１２において、定着制御部１５が、定着温度を１９５℃に設定する。
【００６８】
この後、ステップＳ１１４において、何らかのコピー動作に係わる操作（例えば、コントロールパネル１１への操作、ＡＤＦ１３への操作、原稿を原稿台セットする操作等）があったか否かを判断する。
【００６９】
いずれの操作もない間は、ステップＳ１１４における判断動作を繰り返す。
【００７０】
何らかの動作があったときは、図５のステップＳ１２０へ移行し、定着制御部１５が定着設定温度を２１０℃、設定電力を８００Ｗに設定し、定着器の蓄熱性を高める。
【００７１】
ここで、上記第１の実施の形態と同様に、２１０℃に限らず、定着器の蓄熱性に応じて任意の値に設定することができる。
【００７２】
ステップＳ１２０へ移行した後、実際にコピー動作を行ったかどうかを、ステップＳ１２４においてＣＰＵ１０が判断する。
【００７３】
この場合も上記第１の実施の形態と同様に、実際にはコピーをしなかった場合を考慮する。具体的には、ステップＳ１２２、Ｓ１２４、Ｓ１３０に渡ってタイマ１２を動作させ、ステップＳ１３０において操作を行ってから所定時間（例えば、４５秒間）経過する間にコピーが行なわれたかどうかを判断する。
【００７４】
４５秒間経過するまでの間、コピー動作が行われた場合は、ステップＳ１２６へ移行してタイマ１２をリセットさせると共に、ステップＳ１２８においてプリント制御を行う。
【００７５】
４５秒間経過するまでの間、コピー動作が行われなかった場合は、ステップＳ１３２においてタイマ１２をリセットさせた後、ステップＳ１００へ戻り、定着設定温度、電力を通常の待機時の設定（２００℃、７００Ｗ）に戻す。
【００７６】
尚、この所定時間は、定着器の蓄熱性や特性により任意に最適な時間を選定することができる。
【００７７】
本実施の形態においても上記第１の実施の形態と同様に、操作性や生産性、コピーの品質の低下を招くことなく、消費電力を低減することが可能である。
【００７８】
上述した実施の形態はいずれも一例であって、本発明を限定するものではない。例えば、上記第１の実施の形態では、待機動作に入り、所定時間経過するまで操作が無い場合、ステップＳ１８において定着温度を１９５℃に下げ、その後ステップＳ２０において操作があった場合にはステップＳ３０において定着温度を２１０度に上げている。しかし、この段階数は２段階に限らず、必要に応じて任意の値に設定することができる。
【００７９】
【発明の効果】
以上説明したように、本発明の画像形成装置及び定着温度制御方法によれば、時間を計測し所定時間経過するまでの間操作が無い場合に定着温度を下げることで、あるいはプレスローラの温度をモニタしておき、所定温度に到達した時に待機時の設定温度を下げることで、定着器の蓄熱性を確保して定着性能や生産性、ユーザの操作性を低下させることなく、待機状態における消費電力を低減することが可能である。
【図面の簡単な説明】
【図１】本発明の第１、第２の実施の形態による画像形成装置の構成を示したブロック図。
【図２】同第１の実施の形態における定着温度を制御する手順を示したフローチャート。
【図３】同第１の実施の形態における定着温度を制御する手順を示したフローチャート。
【図４】同第２の実施の形態における定着温度を制御する手順を示したフローチャート。
【図５】同第２の実施の形態における定着温度を制御する手順を示したフローチャート。
【符号の説明】
１０  ＣＰＵ
１１  コントロールパネル
１２  タイマ
１３  ＡＤＦ
１４  読み取り部
１５  定着制御部
２０  定着器
２１、２２  温度センサ
３０  ヒートローラ
３１  ヒータ
４０  プレスローラ
５１  原稿台
５２  読み取り部
【図１】
2005037488.tif 000003
【図２】
2005037488.tif 000004
【図３】
2005037488.tif 000005
【図４】
2005037488.tif 000006
【図５】
2005037488.tif 000007